Podtech/llm-jp-corpus-v4-ja_patent huggingface dataset:
(57)【要約】【課題】本発明は園芸分野において植物を誘引、固定する際簡単に作業でき何度も使えて経済的な園芸バンドを提供する。【解決手段】本発明は植物、主にナス科や瓜科の野菜類の倒伏防止や枝張りの矯正をするために支柱やワイヤー等に固定する園芸バンドであって紐状形状にマグネットを有することを特徴とする。【選択図】図１
2009297005.tif 000002
【特許請求の範囲】
【請求項１】
植物、主にナス科や瓜科の野菜類の倒伏防止や枝張りのバランスをとるために支柱やロープ、ワイヤー等に固定する器具であって帯状もしくは紐の両端部にマグネットを取り付けた形状を特徴とする園芸バンド。
【請求項２】
紐の長さを調整できるようになっている形状を特徴とする請求項２記載の園芸バンド。
【発明の詳細な説明】
【技術分野】
【０００１】  本発明は植物、主にナス科や瓜科の野菜類の倒伏防止や枝張りの矯正のために支柱やロープ、ワイヤー等に植物を固定する園芸バンドに関するものである。
【背景技術】
【０００２】  トマトやキュウリなどの植物の生長にあわせて枝や蔓を固定したり誘引したりする必要がある。
多くの場合テープや結束バンドや紐、ビニール皮膜つきの針金等で結束作業を行うがテープや結束バンドの場合は残渣を支柱やワイヤーから撤去するのに手間がかかる。
紐や針金は縛ったりねじったりしなければならないので植物の固定に手間がかかっていた。【０００３】  これらに対応するために商品名トマトクリップや商品名マジックバンドなどの先行技術がある。
【発明の開示】
【発明が解決しようとする課題】
【０００４】  先行技術トマトクリップは手早く紐やテグスに固定するという点やコストパフォーマンスの点で優れた良い商品だが紐をフラットな面で挟み込む構造なので支柱や太い紐では固定できなかった。【０００５】  マジックバンドはひもや支柱でも結束でき繰り返し利用できる点では優れた良い商品であるが、巻きつけて固定する方法なので電気コードや支柱を束ねて固定するなど複数の物を固定するには最適であるが、たくさんの箇所を固定する必要のある植物の場合手間がかかった。【０００６】  本発明は前述の問題を解決するために完成させたものであって、紐や支柱にかかわらず手早く固定でき繰り返し使用できるので管理作業の軽減やランニングコストを抑えた植物の園芸バンドを提供するものである。
【課題を解決するための手段】
【０００７】  上記の目的を達成するために本発明の園芸バンドは、植物の倒伏防止や枝張りの矯正等のために使用する器具であって帯状もしくは紐の両端部にマグネットを取り付けた形状を特徴とする。【００１２】  マグネットは価格の安いフェライトがコスト的には好ましいが、ネオジム等の磁力が強いものが使いやすい。
サイズはマグネットの磁力によるが、約φ３から約φ１０厚さ約１から約５ミリが使いやすい。【００１３】  また帯状もしくは紐状の部位は帯状であれば幅約１０ミリ程度、紐状であれば約φ１から約４ミリ程度あれば強度に問題なく長さは約２０センチ程度あれば支柱と植物を固定するのに問題はない。【００１４】  また、請求項２に係る園芸バンドは、請求項１記載の園芸バンドにおいて紐部の長さ調整が出来れば余分な遊びがなく具合がよい。【００１５】  具体的な使用方法は園芸支柱は鉄パイプにビニール皮膜をしたものが主流なので支柱にマグネットを固定する。
竹などの磁石がつかない材質やロープやワイヤー等径の小さい物に固定する場合は紐部を巻き結び等で取り付けておき、植物を紐部で抱えるように両端の磁石同士を閉じあわせ固定する。
【発明の効果】
【００１６】  本発明に係る請求項１と２に記載の園芸バンドによれば支柱やロープ、ワイヤーにかかわらず、簡単に植物を誘引、固定が出来る。
収穫後、残渣を始末する際は残渣を引っ張るだけで園芸バンドの閉じ合わせ部が外れるので紐や針金で固定した場合の様にほどく必要がなく残渣の撤去作業を格段に効率よく出来る。【００１７】  また、一度園芸バンドを支柱やワイヤー等に取り付けて置けば新たに植物の誘引するときに何度も繰り返し使えるので作業の軽減やランニングコストを抑えるのに役立つ
【発明を実施するための最良の形態】
【００１８】  以下、本発明の実施形態を図面に基づいて説明する。【００１９】  図１に基づいて本発明にかかわる園芸バンドを説明すると両端部にマグネット部１と紐２を組み合した構造である。【００２０】  図２に基づいて本発明にかかわる園芸バンドを説明するとマグネット３を収納するホルダー４とマグネット３が脱落しないようにするキャップまたはシール材４を組み合した構造になっており紐２を通す穴には紐２の外径より若干狭い隙間でつめ５が向かい合っており紐２の長さを調整できるようになっている。【００２１】  紐２の固定は軽く引っ張る程度でずれるくらいがよい。
色は目立たない緑色もいいが、逆に目立つ赤等の色も確認しやすくてよい。【００２２】  図３に基づいて本発明にかかわる園芸バンドを説明するとマグネット部１と紐２を使用することで支柱７と植物８や紐やワイヤー等形状が異なるものでも簡単に取り付けができ、また繰り返し使用できるのでコストがかからない。【００２３】  残渣の始末の際は残渣を引っ張れば閉じあわしているマグネット部７から残渣が簡単に外れるので撤去作業を軽減できるうえ支柱７やワイヤー等に園芸バンドはついたままなので新たに誘引する際の手間が省ける。
【図面の簡単な説明】
【００２４】
【図１】本発明に係る園芸バンドの最良の形態の平面図である。
【図２】本発明に係る園芸バンドのマグネット部のイは平面図およびロは断面図である。
【図３】本発明に係る園芸バンドを使用した状態の斜視図である。
【符号の説明】
【００２５】  １：マグネット部
２：紐
３：マグネット
４：マグネットホルダー
５：キャップまたはシール材
６：つめ
７：支柱
８：植物
【図１】
2009297005.tif 000003
【図２】
2009297005.tif 000004
【図３】
2009297005.tif 000005
(57)【要約】      （修正有）【課題】ガーデニングなどで使用する鎌や熊手等を、同時に一つのホルダーに取り付けられる様にし、一つの道具で、使用目的の違う動作が出来るようにした農機具取付ホルダーを提供する。【解決手段】農作業に使用する二つの農機具を取り付けて一体化する農機具用取付ホルダーを提供するものであって、該ホルダーは農機具とは別の物として独立しており、使用する際は二つの農機具を取り付けるのであるが、取り外しが可能であることから、別の農機具も取り付けられ、利用される範囲も広い。更に、農作業のし易さを考慮して、取り付けた農機具との重量バランスを保つバランサーを該ホルダーに取り付けているので、農作業自体大変楽に出来る。【選択図】図１
2009297006.tif 000002
【特許請求の範囲】
【請求項１】
農機具取付ホルダーに、２種類の農具を同時に取り付ける事が出来、使用する時に重量バランスをコントロールするバランサーを有する農機具取付ホルダー。
【発明の詳細な説明】
【技術分野】
【０００１】  本発明は、ガーデニングなどで使用する鎌や熊手等を同時に一つのホルダーに取り付けられる様にし、一つの道具で、使用目的の違う動作が出来るようにした農機具取付ホルダーに関する物である。
【背景技術】
【０００２】  （イ）庭の草刈りの鎌や、雑草を集める時に多く使う熊手は別々に用意をしていました  が本品は同時に二つの目的の物を同時に使用出来るようにしたために、草を刈り、それ  を熊手ですぐまとめておく事が一つの道具で行える。今までにも同じように二つの要素  を一つにした物で、特許の申請が出ている物（特許文献１、特許文献２参照）。
【特許文献１】特開２００１−８６８２８（Ｐ２００１−８６８２８Ａ）号広報
【特許文献２】特開２０００−９２９３８（Ｐ２０００−９２９３８Ａ）号広報
【発明の開示】
【発明が解決しようとする課題】
【０００３】  それには次のような問題点があった。
刃物部分と集める目的の物が一体に製造されている為に使用方法が限定されてしまう事と、製造するのが大変で、刃物の部分の刃研ぎなども大変である。
本発明はそのような問題点を解決し利用範囲を大きく広げる事を目的にした物である。
【課題を解決する為の手段】
【０００４】  （イ）ホルダーを独立した物にして、先の部分に同時に二つの道具を取り付けられるよ  うにし、目的の違う道具を取付や、取り外しが出来る様にした。
（ロ）先の部分に取り付ける物が二つになると先が重くなり扱うのが少し大変に成るの  で反対側にその重さを軽減させる為の重量のバランスを補助するバランサーを取り付け  た。
【発明の効果】
【０００５】（イ）取り付ける物が交換できるために組み合わせの種類が多種になり利用範囲が大変多くなる。
（ロ）取り外す事が出来る為刃物の手入れなどが今まで通りに行えるので危険でない。
（ハ）取り付ける物を買い足していけるので大変便利になる。
（二）今まででも、ホルダーが長い物の場合先が重く長時間の扱いは大変でしたが、本品にはバランサーを付けた事で、全体の支点を後ろ側に出来るので、グリップ部分での持ち上げる力を大分軽減する事が出来る。
【発明を実施するための最良の形態】
【０００６】以下、本発明の実施の形態について説明する。
（イ）パイプ（１）の先端部分に二つの道具を取り付けられるような取付部（２）を設ける。
（ロ）本品をしっかり握って扱えるようにする為のグリップ（３）を設ける。
（ハ）グリップ部分を持った時の重量を少しでも軽減する為の重量バランサー（４）を装着する。
【図面の簡単な説明】
【０００７】
【図１】  本発明の上面図
【図２】  本発明の右側面図
【図３】  本発明の斜視図
【符号の説明】
【０００８】  １  パイプ
２  取付部
３  グリップ
４  重量バランサー
【図１】
2009297006.tif 000003
【図２】
2009297006.tif 000004
【図３】
2009297006.tif 000005
(57)【要約】      （修正有）【課題】防波堤や堤防等で釣りをする場合、釣り竿を立てるための保持具がなく、風やちょっと触れたことによって、釣り竿が倒れてしまい、釣り竿に傷がついたり壊れたりしていた。【解決手段】ゴム等の竿を傷めない材質の台座に、保持用突起２や溝３を設けると共に、更に竿が移動しないように滑り止め５を設けて成る釣り具用保持具とすることにより、多少の風や接触等では釣り竿は倒れることなく保持し得るようになる。【選択図】図１
2009297012.tif 000002
【特許請求の範囲】
【請求項１】
釣り竿を傷つけたりしない素材の本体（１）に溝や突起を設けた釣り竿の保持具。
【請求項２】
釣り竿を傷つけたりしない素材の本体（１）に溝や突起を設けた釣り竿の保持具に滑り止め（５）を設けた、請求項１に記載の釣り竿の保持具。
【発明の詳細な説明】
【発明の詳細な説明】
【０００１】
【技術分野】
【産業上の利用分野】
本発明は、防波堤や堤防等で釣りをする場合に釣り竿が倒れないように保持する道具に関する。
【背景技術】
【０００２】  従来、釣り竿を防波堤や堤防等に立て掛ける場合には、釣り竿に傷が付かないように保護テープ状のものを竿に巻いたりしていたが、風や少しのバランスのみだれで釣り竿が倒れるという問題があった。
【発明が解決しようとする課題】
【０００３】  防波堤や堤防に釣り竿を立て掛けたりした場合に、釣り竿が倒れて傷がつかないように、釣り竿を保持する方法がなかった。
【０００４】  釣り竿に保護テープを巻き、釣り竿を防波堤や堤防に立て掛ける際には、保護テープ部部が当るようにしていたが、少しの風や身体が触れる等した場合にはすぐに倒れてしまっていた。
【０００５】  また、三脚のように自立式の釣り竿保持具もあるが、砂地用でありコンクリート面での使用は適用しなかった。
【０００６】  そこで本発明は、ゴム等の竿を傷めない材質の台座に溝や突起を設け、多少の風や接触によって釣り竿が倒れないように保持することを目的としている。
【課題を解決するための手段】
【０００７】  上記の目的を達成するために、本発明の釣り竿の保持具においては、厚めのゴム板の本体に溝や突起を設けて、そこに釣り竿を立て掛けることによって、容易には釣り竿が倒れないようにする。
【０００８】  釣り竿保持具本体は、釣り竿の重さ等で簡単に動かないように、防波堤等のコンクリートとの抵抗が得られるような重さを要する。
【０００９】  防波堤の上部平面に釣り竿保持具本体を設置し、のり部分に滑り止めを設けて、釣り具保持具が左右及び前後に動かないようにする。
【００１０】  釣り竿の保持具本体と滑り止め部は、蝶番によって折畳みができるようにする。
【００１１】  釣り竿保持具の底面は、小さな凹凸を設ける等の滑りにくくすると良い。
【作用】
【００１２】  釣り竿保持具を広げて、本体を堤防の上に置き滑り止めを堤防ののり面にたらして、両方を防波堤に密着するように設置する。
【００１３】  釣り竿を立てる際に、釣り竿保持具本体の溝に立て掛ける。
【００１４】  釣り竿保持具は、自重と防波堤の摩擦、釣り竿の重さ等で、左右には動きにくく、風が吹いたり釣り竿に接触したりしても釣り竿は容易には倒れなくなる。
【００１５】  また、滑り止めによって縦方向にずれることもない。
【発明を実施するための最良の形態】
【００１６】  本発明の実施の形態を実施例にもとづき図面を参照して説明する。
図１において、保持具本体（１）に釣り竿を保持するための保持用突起（２）及び溝（３）を設ける。【００１７】  保持具本体（１）に蝶番（４）で折り畳めるようにした滑り止め（５）を取り付ける。
【図面の簡単な説明】
【図１】釣り竿保持具の斜視図
【図２】釣り竿保持具使用時の斜視図
【符号の説明】
１    保持具本体
２    保持用突起
３    溝
４    蝶番
５    滑り止め
６    防波堤
７    釣り竿
【図１】
2009297012.tif 000003
【図２】
2009297012.tif 000004
(57)【要約】      （修正有）【課題】従来から使用されている草刈機用回転刃は、円板形状で円板面の円周上に刈刃が形成されており、また地面に対して平行になるように取り付けられ、刈刃は地面に当たらない構造となっている。草の地上部を刈り取るのに最適な構造で、通常の草刈作業においては刈り取った草がまた伸びてきても問題としなかった。草の地上部を刈り取るため根が残ってしまい、しばらくするとまた草が伸びてくる。野菜等が植えられた畑地等の中でこのような草刈りを行った場合、草刈り作業を頻繁に行う必要性にせまられるため、草刈機による草刈作業はほとんど行われていない。【解決手段】回転刃２となる平板の一部を下方に向け、下方に向けた部分に刈刃を形成することによって、地面に刈刃を当てることができるようにした。これにより回転刃２を土の中まで入れることができ、草を根から刈り取ることができるため、畑での完全な草刈りができるようになった。【選択図】図１
2009297015.tif 000002
【特許請求の範囲】
【請求項１】
草刈刃を構成する点対称な平板の一部を下方向に向け、下方向に向けた部分に刈刃を形成し、平板の中心に取付け穴を形成した草刈機用回転刃。
【発明の詳細な説明】
【技術分野】
【０００１】この発明は、野菜等が植えられた畑地等の中で、除草するためのエンジン付草刈機の回転刃に関するものである。
【背景技術】
【０００２】従来の草刈機用回転刃は、荒地や放置された畑の大量の雑草を刈り取ることを対象に回転刃は開発されてきたため、野菜等が植えられた畑地等の中で小さな雑草の状態で効率よく草刈ができる回転刃がなかった。
【発明の開示】
【発明が解決しようとする課題】
【０００３】従来から使用されている草刈機用回転刃は、円板形状で円板面の円周上に刈刃が形成されており、草の地上部を刈り取るのに最適な設計で、通常の草刈作業においては刈り取った草がまた伸びてきても問題としなかった。草の地上部を刈り取るため根が残ってしまい、しばらくするとまた草が伸びてくる。野菜等が植えられた畑地等の中でこのような草刈りを行った場合、草刈り作業を頻繁に行う必要性にせまられるため、草刈機による草刈作業はほとんど行われていない。
【課題を解決するための手段】
【０００４】従来の草刈機用回転刃は地面に対して平行になるように取り付けられており、刈刃は地面に当たらない構造となっている。発明品の回転刃は、地面方向をむくような構造となっており、地面に刈刃を当てることができる。
【発明の効果】
【０００５】地面に刈刃を当てることができるようにしたことによって、刈刃を土の中まで入れることができ、章を根から刈り取ることができるため、畑地等での完全な草刈が可能となった。また、刈刃を大きく形成しているため、通常の草刈り作業も可能となり、回転刃を取り替えることなくどちらの作業も可能となった。
【発明を実施するための最良の形態】
【０００６】この発明による実施例を説明する。図１はこの発明品を草刈機に装着した状態を示す側面図、図２〜図７はこの発明品の回転刃の形状を示す。
【図面の簡単な説明】
【０００７】図１は発明品２をエンジン付草刈機１に取り付けた状態を示す。図２は発明品で星形平板の一部を下方に折り曲げて４枚の刃３を形成したものである。図３は発明品で星形平板の一部を下方に折り曲げて４枚の刃４を形成し、刃形状を波状５にしたものである。図４は発明品で星形平板を、取付け面を円板状にして一部を下方に折り曲げて４枚の刃６を形成したものであるたものである。図５は発明品で三角形平板の角を下方に折り曲げて３枚の刃７を形成したものである。図６は発明品で取付け穴中心から刃の形成位置までが異なる２対の刃８となる部分を折り曲げたものである。図７は発明品で正方形平板の角を下方に折り曲げて４枚の刃９を形成したものである。
【図１】
2009297015.tif 000003
【図２】
2009297015.tif 000004
【図３】
2009297015.tif 000005
【図４】
2009297015.tif 000006
【図５】
2009297015.tif 000007
【図６】
2009297015.tif 000008
【図７】
2009297015.tif 000009
(57)【要約】      （修正有）【課題】糖尿病及び生活習慣病の改善・予防効果のある健康加工食品であって、天然のインシュリンを多く含む菊芋のイヌリンとこんにゃくのグルコマンナンとの相乗効果で血糖値の上昇を抑制しつつ調理汎用性がある菊芋こんにゃくの提供。【解決手段】生菊芋のみじん切りとすりおろしを、こんにゃく成分に対し３０％〜５０％の割合で、低カロリーでグルコマンナン食物繊維を豊富に含むこんにゃく精粉に添加し、必要に応じて球形の粒状に成形をしてコンニャクを製造する。【選択図】なし【特許請求の範囲】
【請求項１】
天然のインシュリンを多く含む、生菊芋のみじん切りとすりおろしを低カロリーでグルコマンナン食物繊維を豊富に含むこんにゃく精粉に添加したことで、糖尿病及び生活習慣病の改善・予防効果のある健康加工食品にしたことが特徴の菊芋こんにゃくの製造方法。
【請求項２】
天然のインシュリンを多く含む、生菊芋すりおろしを低カロリーでグルコマンナン食物繊維を豊富に含んだこんにゃく精粉に添加したことで、糖尿病及び生活習慣病の改善・予防効果のある健康加工食品にしたことが特徴の菊芋こんにゃくの製造方法。
【請求項３】
天然のインシュリンを多く含む、生菊芋すりおろしを低カロリーでグルコマンナン食物繊維を豊富に含んだこんにゃく精粉に添加して、球形の粒状に成形をすることで糖尿病の改善・予防効果のある健康加工食品にしたことが特徴の炊飯用飯粒状タイプの菊芋こんにゃくの製造方法。
【発明の詳細な説明】
【技術分野】
【０００１】  本発明は、糖尿病及び生活習慣病の改善・予防効果のある健康加工食品に関するものであり、菊芋のイヌリンとこんにゃくのグルコマンナンの相乗効果で、より血糖値の上昇を抑制させることを目的とした調理汎用性がある健康こんにゃくとして開発したものである。
【背景技術】
【０００２】  厚生労働省の糖尿病実態調査より、近年、糖尿病が強く疑われる人は約７４０万人で、糖尿病予備軍は約８８０万人、両者を合計すると約１，６２０万人で、成人の６人に１人は糖尿病か、その予備軍と言われ、それに伴う効果的で安全な健康食品の需要が高まっている。【０００３】  その一つとして、キク科ヒマワリ属の多年草である菊芋（学名：ヘリアンツスツベロスス）が近年注目されている。菊芋の主成分はデンプンではなく、体内でブドウ糖に分解されないイヌリンという多糖体で、血糖値の上昇を抑える作用が期待出来るものである。【０００４】  しかし、従来から菊芋を使用した糖尿病の改善及び予防効果を目的とした加工食品はあるが、菊芋の形状は、粉末・顆粒又は粒状にしたものが多く、生の菊芋を原料とした加工食品はなく、菊芋本来の自然な甘味・香り・歯ざわりを味わうことは出来ない。また、糖尿病改善効果には、イヌリンが１日に約８ｇ〜１０ｇ必要とされているが従来の加工食品には単品で１日の必要量を摂取することは出来ない。【０００５】  糖尿病にとって最も重要なのは血糖値のコントロールであることから、低カロリーのグルコマンナン食物繊維を豊富に含んだ医薬的効果を持つこんにゃくと菊芋との相乗効果が、糖尿病の改善及び予防効果がよりあると言える。
【発明の開示】
【発明が解決しようとする課題】
【０００６】  本発明は、菊芋こんにゃく単品で、１日に必要なイヌリンを美味しく無理なく摂取可能に解決することを課題とする。
【課題を解決するための手段】
【０００７】  請求項１の発明は、こんにゃく成分に対して、生の菊芋みじん切りとすりおろしを３０％〜５０％添加していることを特徴とする、菊芋こんにゃくである。生の菊芋には、イヌリンが約１３％〜２０％含まれ、菊芋こんにゃく２５０ｇ／枚に対し、１日に約１００ｇ食べればイヌリンの必要量が摂取可能となる。また、菊芋みじん切りを添加することで、従来のこんにゃくにはない、菊芋本来のシャリシャリした新感覚の食感を重視したこんにゃくとする。【０００８】  請求項２の発明は、こんにゃく成分に対し、生菊芋のすりおろしを３０％〜５０％添加していることを特徴とする、菊芋こんにゃくである。また、生菊芋すりおろしを添加することで、従来のこんにゃくにはない、菊芋本来の自然な甘味成分を重視したこんにゃくとする。また、煮る調理以外にも、揚げる・焼く・炒める等の調理汎用性があるこんにゃくとする。【０００９】  請求項３の発明は、こんにゃく成分に対し、生菊芋のすりおろしを３０％〜５０％添加し、球形の粒状に成形したことを特徴とする、菊芋こんにゃくである。
生米に対し、粒状の菊芋こんにゃくを５０％〜６０％添加して炊飯することにより炊き上がり御飯、茶碗一杯に対して約４ｇのイヌリンを摂取することになる。
【発明の効果】
【００１０】  本発明は、糖尿病及び生活習慣病の改善・予防効果を前提に天然インシュリンと言われる生菊芋のイヌリンをグルコマンナン食物繊維が豊富に含むこんにゃく精粉に添加した相乗効果で、血糖値の上昇を抑える作用が期待出来る調理汎用性のある菊芋こんにゃくである。
【実施例１】
【００１１】  請求項１は、こんにゃく精粉５０ｇを７０℃〜８０℃の湯１２００ｇ〜１５００ｇでゼリー状にまで混和し、これに生菊芋（洗浄〜皮剥き〜みじん切り及びすりおろし）１５００ｇを混和し、約１時間寝かしておく。別に水酸化カルシウム４ｇをぬるま湯２００ｇに溶解したアルカリ液を上記に混和し、容器に移して凝固成型する。これを適宜に切り分け、約３０分間茹でて残余のアルカリ分を除去し完成させる。この実施例による菊芋こんにゃくは、食感が食肉に近く、また菊芋のシャリシャリ感も含め、煮もの以外にも揚げる・焼く・炒める等の調理汎用性があるので１日に必要なイヌリンを美味しく無理なく摂取することが可能である。
【実施例２】
【００１２】  請求項２は、こんにゃく精粉５０ｇを７０℃〜８０℃の湯１４００ｇ〜１６００ｇでゼリー状にまで混和して、これに生菊芋（洗浄〜皮剥き〜すりおろし）８００ｇ〜１２５０ｇを混和し、約１時間寝かしておく。別に水酸化カルシウム６ｇをぬるま湯２００ｇに溶解したアルカリ液を上記に混和し、容器に移して凝固成型する。これを適宜に切り分け、約３０分間茹でて残余のアルカリ分を除去し完成させる。この実施例による菊芋こんにゃくは、食感が食肉に近く、菊芋本来の自然な甘味成分も含め、煮もの以外にも揚げる・焼く・炒める等の調理汎用性があるので１日に必要なイヌリンを美味しく無理なく摂取することが可能である。
【実施例３】
【００１３】  請求項３は、こんにゃく精粉５０ｇを７０℃〜８０℃の湯１４００ｇ〜１６００ｇでゼリー状にまで混和して、これに生菊芋（洗浄〜皮剥き〜すりおろし）８００ｇ〜１２５０ｇを混和し、約１時間寝かしておく。別に水酸化カルシウム６ｇをぬるま湯２００ｇに溶解したアルカリ液を上記に混和し、球形の粒状に成形して凝固成型する。これを約３０分間茹で残余のアルカリ分を除去し完成させる。
この実施例による菊芋こんにゃくは炊飯用であり、生米に対して約５０％〜６０％添加し炊飯することにより、炊き上がり御飯の茶碗１杯分で約４ｇのイヌリンを摂取することになる。
糖尿病にとって最も重要なのは血糖値のコントロールであり、毎日食べる御飯とした食事療法で美味しく無理なく摂取することが可能である。
(57)【要約】【課題】廃タイヤの利用において、骨材合成２次製品を多種に亘り提供する。【解決手段】ワイヤーを取り除いた、廃タイヤをチップ状に裁断し、高炉等にて熔化させ、その中へポルトランドセメントコンクリートに使用されるところの骨材を混入させ、加熱状態を保持したまま攪拌する事で、フレッシュコンクリートと同様の流動状態とし、それを耐熱性の型枠に流し込み成形する。又、２次製品の性質に適合させる為、材料の比率や骨材の配合を変える事により、多種に亘る２次製品の製造が可能となる。【選択図】図５
2009297975.tif 000002
【特許請求の範囲】
【請求項１】
ワイヤーを取り除いた廃タイヤを熔化させ、そこへセメントコンクリートに使用される
ところの骨材を混入し、加熱及び攪拌状態のまま型枠にて成形し、又、２次製品の特性に適合させる為、廃タイヤゴムと骨材の比率を変えたり、骨材の配合を変える事により、多種に亘りコンクリート２次製品の製造を可能とする事を特徴とする廃タイヤ利用による骨材合成２次製品。
【発明の詳細な説明】
【技術分野】
【０００１】
本発明は、廃タイヤの再利用に関する。
【背景技術】
【０００２】
従来、廃タイヤ利用法には、数多くのものが存在する。その中でも土木工事に係わるものも多く、２次製品としても(例えば、特許文献１参照。)の様にいくつかの製品や方法がある。しかし、前述の製品は、廃タイヤゴムのみにて製品を成す為、その弾性を利用する際には効果を得られるが、硬性を必要とするコンクリート２次製品、例えばＵ字溝やヒューム管等には不向きと言える。
【特許文献１】特開２００１−１１５４１１号公報
【発明の開示】
【発明が解決しようとする課題】
【０００３】
そこで、今回廃タイヤの利用において、ポルトランドセメントコンクリート２次製品と同等の強度を持ち、廃タイヤの消費にも貢献出来る様、多種に亘るコンクリート２次製品を提供する。
【課題を解決するための手段】
【０００４】
本発明は、廃タイヤとセメントコンクリート用の骨材を組み合わせる事により、多種に亘るコンクリート２次製品を提供する事を特徴とする。製造方法としては、ワイヤーを取り除いた廃タイヤをチップ状に裁断し、高炉等にて熔化させ、その中にセメントコンクリートに使用されるところの骨材、すなわち砕石等を混入させ、加熱状態を保持したまま攪拌する事で、フレッシュコンクリートと同様の流動状態とし、それを型枠に流し込み成形する。又、２次製品の形態、及び強度に対応する為、廃タイヤゴムと骨材の比率を変えたり、使用骨材の配合を変える事により、多種類の２次製品を製造する事が可能となる。尚、廃タイヤよりワイヤーを選別する方法においては、現在いくつかの方法があるが、特に限定するものではない。
【発明の効果】
【０００５】
よって、従来のポルトランドセメントコンクリート２次製品と同等の製品として、多種に亘り提供する事ができ、又、廃タイヤの使用量の多さにも貢献出来るものである。尚、従来のコンクリート製品は現場打設の場合も含め酸性雨等の影響の為、経年による黒色化が見られ、視覚的にも古さを感じさせる。当製品はその心配もなく、又、黒色なるがゆえの利点もあり、路面材や床材にはその色を前面に利用出来るものである。
【発明を実施するための最良の形態】
【０００６】
形態としては、特に限定する性質のものではないが、参考として幾つか上げてみると、まず路面材として、敷設ブロック車道用１があげられる。この場合、比較的交通量の少ない道路や、駐車場において、従来の敷設方法(図５)により施工する。この方法における利点は、従来のアスファルト舗装の様に、地盤沈下による亀裂の発生がなく、又、復旧を必要とする様な沈下においても、路盤を修復するのみで、ブロックは再利用出来る為、工事費は安価となる。又、寒冷地での冬期にみられる凍み上がりによる亀裂も生じない。これらについては、敷設ブロック歩道用２においても同様である。２つ目の参考物件として、歩車道境界ブロック３の場合をあげると、従来のコンクリート境界ブロックと施工方法において何等変わるものではない。３つ目の参考物件として、床材用溥形ブロック４をあげると、配合としては、屋内向けを考慮する必要がある為、ゴムの配分を多くし、骨材の特性を抑えるのが好ましい。又、配合において、強度等の問題があれば廃タイヤからなるセメントクリンカや、アスファルトセメントを混合する場合も考えられる。最後に製品の表面部について、滑りに対する処理が必要とされる場合、あらかじめ製品の表面となる部分、すなわち型枠の底面に砂等を敷き、その後、当材料を型枠に流し込む事によって、完成後の製品の表面を滑り止め仕様とする事が出来る。又、その砂等の色を選別する事により、製品の完成表面部の色を変えることが出来る。又、別の滑り止めの方法として、同じく型枠の底面に凹凸や模様をつける事によって、滑り止め仕様とする事も考えられる。骨材の配合においては、仕様書、設計書等、コンクリート２次製品の配合表で周知のとおりである。
【図面の簡単な説明】
【０００７】
【図１】敷設ブロック車道用  斜視図
【図２】敷設ブロック歩道用  斜視図
【図３】歩車道境界ブロック  斜視図
【図４】床材用溥形ブロック  斜視図
【図５】ブロック敷設参考図
【符号の説明】
【０００８】
１  敷設ブロック・車道用
２  敷設ブロック・歩道用
３  歩車道境界ブロック
４  床材用溥形ブロック
５  敷砂
６  目地砂
７  路盤工(砕石Ｃ−４０〜０)
【図１】
2009297975.tif 000003
【図２】
2009297975.tif 000004
【図３】
2009297975.tif 000005
【図４】
2009297975.tif 000006
【図５】
2009297975.tif 000007
(57)【要約】【課題】  本発明は、生ゴミ、生活汚泥、農業汚泥、産業汚泥、下水汚泥等から起因する環境汚染を生ゴミ、汚泥分解技術でもって、消臭、魚類保護、植物の生息できる環境を提供することにある。しかも、高度な設備費用を必要としない汚泥分解剤であること。【解決手段】  木酢液の成分を珪藻土、ゼオライト、木質破片、おがくず、籾殻、植物抽出物の多孔質体に含有、吸着させることにより塩素の除去、酸化触媒反応をおこさせる。臭気物質を酸化分解させることにより、酸化触媒し反応する臭気物質を分解させる能力技術の開発である。  蛋白質の腐敗臭、動物の排泄物質等の分解チッソ、リンサン等の残留農薬の吸着分解、流失油等の有害物質の吸着、静菌作用、酸度調整による有効微生物の生息環境を整え優れた効果を発揮します。超微細、超多孔質の天然素材は残留農薬や重金属を吸着分解します。においの二次発生源である雑菌の繁殖を防止し脱臭効果がある。  ゼオライトの、生ゴミ、汚泥処理においては、アンモニア、チッソの除去。重金属イオンの吸着除去、染色排水の脱色浄化、放射性廃水の処理、硬水の軟水化をする。アンモニアガスの吸着もあり、ガス体の分離として酸素、チッソの分離をする。アンモニア、チッソの吸着による脱臭作用、環境改善をし、環境保護、保全に貢献することを特徴とする。【特許請求の範囲】
【請求項１】
生ゴミ、汚泥分解処理として多孔質の珪藻土のシリカ構造に木酢液の成分を浸潤させ、ゼオライト、おがくず、木質破片、籾殻、植物抽出物の醗酵、分解構造に微生物を浸透させたことを特徴とする。
【請求項２】
珪藻土、ゼオライト、おがくず、木質破片、籾殻、植物抽出物に微生物を吸着、接着、植え付け、発生促進。
【請求項３】
珪藻土、ゼオライト、おがくず、木質破片、籾殻、植物抽出物に木酢液を浸潤。
【発明の詳細な説明】
【技術分野】
【０００１】  本発明は、生ゴミ分解、汚泥分解に係わる処理技術の向上を図ることにより、環境改善、保護、保全に寄与する。
微生物を多孔質体に含浸させ生息させることにより、生ゴミ、汚泥の有機物を炭酸ガスと水に分解低減させ生ゴミ、汚泥を分解する。
【背景技術】
【０００２】  生ゴミ、生活汚泥、農業汚泥、産業汚泥、下水汚泥により環境悪化が進んでいることから、悪臭、魚類、植物の生息に問題が起きている。
対策として設備、機材が投入されているものの、十分な生ゴミ、汚泥処理対策にいたっていない。
【発明の開示】
【発明が解決しようとする課題】
【０００３】  本発明は同発明者の特願２００５−３６５８８６を活用し、汚れ、化学物質、重金属、リン、チッソ、アンモニアを多孔質体が、重金属など、汚れを吸着し微生物、細菌類を自然分解させることにより微生物担体の栄養分に変えることにより汚泥を分解浄化し自然環境を復元させる。【０００４】  珪藻土は、秋田県北秋田市より産出する多孔質珪藻土。ゼオライトは秋田県能代市二ツ井より産出する鉱物。これらを混合することが望ましい。木酢液については、北秋田市産地品を活用し、日本木酢液協会の方法で分析し、木酢液の企画に定めされた品質でもっての使用であり、フェノール類を含む効果から消毒、消臭、脱臭、防菌等に効果がある。（木酢液は日本木酢液協会の認定協議会の認定品を使用）
この新技術は、環境ホルモンを含む処理用途に拡大できる。【０００５】  本発明は、木酢液の機能、性能と珪藻土、ゼオライト、おがくず、木質破片、籾殻、植物抽出物の特性、有用性の組み合わせを環境改善剤としての提供を目的とする。
【課題を解決するための手段】
【０００６】  生ゴミ、汚泥処理については、数多くの提案がなされ実用化されているものの、設備投資額と多大なる費用と人力を必要としたが、生態系に汚染を引き起こしていた。
また、水質汚水及び重金属の水質浄化が河川に放出され自然汚染や二次製品による環境破壊、水質汚染、悪臭に問題があった。
珪藻土、ゼオライトを粉砕し８００度以上で焼成する処理方法。粉砕物質６０〜８０重量％混合物２０〜４０重量％を混合し、多孔質構造の機能を向上させたものを特徴とする。
本発明の浄化剤は、生ゴミ、汚泥を分解しドロやアオコ、消臭を吸収分解する環境浄化剤であり環境汚染はなく、散布することにより水深、水域、沼、湖の微生物が流されず維持管理費の少ない生ゴミ、汚泥分解剤です。
珪藻土、ゼオライトの粒体１〜５ｍｍと炭素源としての、おがくず、木質破片、籾殻の粒子、植物抽出物との組み合わせに、木酢液を浸潤する。汚染の原因であるチッソやリンなどの物質浄化と水質浄化において、微生物作用により汚泥分解作用がある。使用後は土壌改良剤として還元され資源循環型社会の推進とする。【０００７】前記珪藻土の組成分析結果を
【表１】
2009297701.tif 000002
に前記ゼオライトの組成分析結果を
【表２】
2009297701.tif 000003
に示す。
【発明の効果】
【０００８】  天然素材の珪藻土、ゼオライト、おがくず、木質破片、籾殻、植物抽出物の有用な特徴と細孔部に吸着保持された微生物の相乗効果による環境改善剤を得ることができた。
天然資源が有する特性から、独自効果の大きい作用が発見された。【０００９】  さらに環境改良剤として、持続的効果の得られることが発見された。【００１０】  有用な微生物を多孔質体に付着、植え付け、浸潤させることにより生ゴミ、汚泥の有機物を分解する。
本発明による生ゴミ、汚泥分解剤は、安全性・経済性ともに優れ、低コストでしかも実用に優れた酸化分解を特徴とする環境用剤に関する。
【発明を実施するための最良の形態】
【００１１】  珪藻土、ゼオライト、おがくず、木質破片、籾殻、植物抽出物、木酢液の混合物から成り、生ゴミ、汚泥および有害物質を分解する。【００１２】  本発明の汚泥分解剤は天然多孔質物質をベースとする。
【産業上の利用可能性】
【００１３】  本発明に係る浄化剤を散布することにより、生ゴミ、生活汚泥、農業汚泥、産業汚泥、下水汚泥等に微生物の有機物の酸化分解作用が働き、汚泥を低減分解する。
(57)【要約】【課題】浴室において浴室用イスに腰掛けた状態で自らの臀部をシャワーヘッドにより容易に洗浄することができるようにした浴室における臀部洗浄具を提供する。【解決手段】浴室用イス１内にはホース３の先端に設けたシャワーヘッド５における湯放出部７を上方に向けた状態で該シャワーヘッド５を挿脱自在に保持するシャワーヘッド保持体９を配設し、該シャワーヘッド保持体９は該浴室用イス１の外部に連通し、該シャワーヘッド保持体９における該シャワーヘッド５の湯放出部７に対応する上面にはシャワーヘッド５からの湯１３を通過させるための第一透孔１５を備えさせ、該浴室用イス１の座面１ｃにはシャワーヘッド５からの湯１３を通過させるための第二透孔１７を設けたことを特徴とする浴室における臀部洗浄具。【選択図】図１
2009297255.tif 000002
【特許請求の範囲】
【請求項１】
浴室用イス内にはホースの先端に設けたシャワーヘッドにおける湯放出部を上方に向けた状態で該シャワーヘッドを挿脱自在に保持するシャワーヘッド保持体を配設し、該シャワーヘッド保持体は該浴室用イスの外部に連通し、該シャワーヘッド保持体における該シャワーヘッドの湯放出部に対応する上面にはシャワーヘッドからの湯を通過させるための第一透孔を備えさせ、該浴室用イスの座面にはシャワーヘッドからの湯を通過させるための第二透孔を設けたことを特徴とする浴室における臀部洗浄具。
【発明の詳細な説明】
【技術分野】
【０００１】
本発明は、浴室における臀部洗浄具に関するものであり、さらに詳しくは、浴室において浴室用イスに腰掛けた状態で自らの臀部をシャワーヘッドにより容易に洗浄することができるようにした浴室における臀部洗浄具に係るものである。
【背景技術】
【０００２】
例えば特開平１１−３４２０８６号公報に示すように、浴室内には通常シャワーヘッドが備えられている。
【特許文献１】特開平１１−３４２０８６号公報
【発明の開示】
【発明が解決しようとする課題】
【０００３】
浴室内において、シャワーヘッドを手に把持して自らの臀部を洗浄することは不可能ではないにしても、困難である。
【０００４】
本発明は、浴室において浴室用イスに腰掛けた状態で自らの臀部をシャワーヘッドにより容易に洗浄することができるようにした浴室における臀部洗浄具を提供しようとしてなされたものである。  
【課題を解決するための手段】
【０００５】
上記課題を解決するために、本発明は、下記の浴室における臀部洗浄具を提供する。
【０００６】
浴室用イス内にはホースの先端に設けたシャワーヘッドにおける湯放出部を上方に向けた状態で該シャワーヘッドを挿脱自在に保持するシャワーヘッド保持体を配設し、該シャワーヘッド保持体は該浴室用イスの外部に連通し、該シャワーヘッド保持体における該シャワーヘッドの湯放出部に対応する上面にはシャワーヘッドからの湯を通過させるための第一透孔を備えさせ、該浴室用イスの座面にはシャワーヘッドからの湯を通過させるための第二透孔を設けたことを特徴とする浴室における臀部洗浄具。
【発明の効果】
【０００７】
本発明によれば、浴室における臀部洗浄具の使用者は、浴室内に備えられたシャワーヘッドを浴室用イス内のシャワーヘッド保持体に挿入し、該シャワーヘッドにおける湯放出部を上方に向けた状態で該シャワーヘッドをシャワーヘッド保持体に保持させ、該シャワーヘッドより湯を上方に放出させることにより、自らの臀部を容易に洗浄することができる。すなわち、シャワーヘッドの湯放出部より上方に放出された湯は、シャワーヘッド保持体の第一透孔と浴室用イスの第二透孔とを経て臀部に達する。したがって、使用者は、浴室用イスに腰掛けた状態で自らの臀部をシャワーヘッドにより容易、かつ、快適に洗浄することができる。使用者は、臀部を洗浄する際に、手でシャワーヘッドを把持する必要がない。
【０００８】
本発明による浴室における臀部洗浄具は、浴室内に備えられたシャワーヘッドをそのまま利用するものであって、構造が極めて簡単であるため、安価に提供することができる。
【発明を実施するための最良の形態】
【０００９】
符号１に示すものは浴室用イスである。浴室用イス１内にはホース３の先端に設けたシャワーヘッド５における湯放出部７を上方に向けた状態で該シャワーヘッド５を挿脱自在に保持するシャワーヘッド保持体９を配設する。浴室用イス１は、形状の如何を問わない。
【００１０】
シャワーヘッド保持体９は浴室用イス１の外部に連通している。
【００１１】
図示の事例におけるシャワーヘッド保持体９は、略筒状体である。シャワーヘッド保持体９の基部９ａは浴室用イス１の内面１ａに固定され、シャワーヘッド保持体９の先端部９ｂにはシャワーヘッド５における湯放出部７を備えた頭部５ａを固定する頭部固定部９ｃを備えている。
【００１２】
図示の事例においては、浴室用イス１の側面１ｂにはシャワーヘッド保持体９の基部９ａに対応する位置に貫通孔１１が形成されている。
【００１３】
シャワーヘッド保持体９におけるシャワーヘッド５の湯放出部７に対応する上面にはシャワーヘッド５からの湯１３を通過させるための第一透孔１５を備えさせる。
【００１４】
浴室用イス１の座面１ｃにはシャワーヘッド５からの湯１３を通過させるための第二透孔１７を設ける。
【００１５】
符号１９に示すものは、使用者の臀部である。
【００１６】
なお、シャワーヘッド５の湯放出部７は、湯１３を１本の棒状に放出してもよいが、湯１３を多数本の線状に放出しても差し支えない。
【図面の簡単な説明】
【００１７】
【図１】本発明による浴室における臀部洗浄具の一例を示す断面図である。
【図２】同上臀部洗浄具の平面図である。
【図３】シャワーヘッド保持体にシャワーヘッドを保持させた状態を示す一部断面正面図である。
【符号の説明】
【００１８】
１  浴室用イス
１ａ  内面
１ｂ  側面
１ｃ  座面
３  ホース
５  シャワーヘッド
５ａ  頭部
７  湯放出部
９  シャワーヘッド保持体
９ａ  基部
９ｂ  先端部
９ｃ  頭部固定部
１１  貫通孔
１３  湯
１５  第一透孔
１７  第二透孔
１９  臀部
【図１】
2009297255.tif 000003
【図２】
2009297255.tif 000004
【図３】
2009297255.tif 000005
(57)【要約】【課題】本発明は一日中立ち仕事をしている人乗り物で長時間動かないでいる人、一日中座している人に多い足の浮腫疲れ等で悩んでいる方が多いので脹脛太股に溜った血液を全身に戻して体をリラックスさせて健全な身体に戻すための補助具を広く一般家庭に提供する【手段】手摺り付枠を左右に設けた枠の手前側に可動式枠で連結する手摺り付枠は身体に合わせて即座に広げ閉じができる様に作られている。【選択図】図１
2009297491.tif 000002
【特許請求の範囲】
【請求項１】
手摺り枠を左右に設け手前側を可動式枠で連結したコの字形をした足揉み解し補助具
【請求項２】
折りたためてコンパクトに収納できる請求項１の足揉み解し補助具
【請求項３】
人に合わせて手摺り枠を左右に広げ閉じができる請求項１の足揉み解し補助具
【発明の詳細な説明】
【技術分野】
【０００１】本発明は足の脹脛、太股等をマッサージするのに使われる補助具に関するものである
【背景技術】
【０００２】従来家庭で足のマッサージをするのに両足に乗って踏み揉みするのに体重を調整する器具がないので、全体重が、かかるため又、疲れて浮腫んだ足は痛さで我慢できない。
【発明の開示】
【発明が解決しようとする課題】
【０００３】一日中立ち仕事の人一日中座り仕事の人等に足の疲れ浮脛をかかえている人が多くいます本発明は以上の間題点を解決するために家庭で毎日使用することにより元の身体に戻せる様にするものである
【課題を解決するための手段】
【０００４】手摺り付き枠を左右に設け手前側を可動枠で連結することにより手摺り付き枠を身体に合わせて自由に広げ閉じできる様にしたもの
【発明の効果】
【０００５】本発明の手摺り付枠を広げて足をマッサージしてもらう人を枠内の中央にして手摺り付枠を置くマッサージする人は手摺り枠をにぎりマッサージされる人の太股、脹脛に乗り手摺り枠を握った手腕で体重を調節して最良の体重でマッサージすることにより足の血流が良くなり疲れ痛み浮腫を改善することができる
【発明を実施するための最良の形態】
【０００６】以下本発明の実施の形態を説明する
（イ）手摺枠（１Ｂ）と（１Ａ）と可動連結枠（２）から成り連結部位に可動金具（４）を設け片一方を広げ閉じできる、手摺枠（１Ｂ）（１Ａ）の下に補強枠（６）を設ける、足（５）にもクッション材（３）を設ける。
本発明は以上の構成より成る。
本発明を使用する場合は、手摺枠（１Ａ）と（１Ｂ）を足のマッサージを受ける人に合わせて広げ置き可動連結枠（２）は足元側にするマッサージをおこなう人は手摺枠を掴み枠内に入いり手摺枠で体重調整をおこない、足で太股、脹脛のマッサージを行なう
【図面の簡単な説明】
【０００７】
【図１】本発明の斜視図
【図２】本発明の正面図
【図３】本発明の真上から見た図
【図４】本発明の真上から見た折りタタミかけの図
【図５】本発明の真上から見た折りたたみ収納図
【符号の説明】
【０００８】（１）手摺枠（２）可動連結枠（３）クッション材（４）可動金具（５）足（６）補強枠。
【図１】
2009297491.tif 000003
【図２】
2009297491.tif 000004
【図４】
2009297491.tif 000005
【図５】
2009297491.tif 000006
【図３】
2009297491.tif 000007
【図６】
2009297491.tif 000008
【手続補正書】
【提出日】平成20年9月20日(2008.9.20)
【手続補正１】
【補正対象書類名】明細書
【補正対象項目名】０００７
【補正方法】変更
【補正の内容】
【０００７】
【図１】本発明使用時の斜視図
【図２】本発明使用時の正面図
【図３】本発明の真上より見た使用時の広げ図
【図４】本発明の真上より見たタタミかけ図又広げかけ図
【図５】本発明の真上より見た収納図
【図６】本発明の真上より見た（１Ｂ）（１Ａ）の後部を広げた図
(57)【要約】      （修正有）【課題】熱気や冷気を一定領域に留め、雨を防ぎながら体温の低下を防ぎ、有害物質の悪影響から内部の者を洩れなく、触れることなく守れ、誰でもが通常携帯していられる、エアーカーテンで全周を覆う傘を提供する。【解決手段】携帯傘の柄６の部分を中空にし、ファンやコンプレッサ３を設置することで気体を噴出部７、または、吸収する構造とする。傘８にエアカーテン１０を用いることで、雨や微小物体、有害物質などから保護される安全領域を作る。【選択図】図１
2009297496.tif 000002
【特許請求の範囲】
【請求項１】
エアカーテンにより雨、雪、霧、粉塵、微小物体、有害物質など外部の物が近づけない、安全領域を作ることを目的とした携帯傘
【請求項２】
エアカーテンと濾過装置により粉塵、微小物体、有害物質など外部からの悪影響を除去し、安全領域を作ることを目的とした携帯傘
【請求項３】
エアカーテンと冷暖房装置により冷気、冷風、熱気、熱風など寒暖から安全領域を作り内部の者を守ることを目的とした携帯傘
【請求項４】
エアカーテンと濾過装置と殺菌装置により粉塵、微小物体、有害物質などエアカーテンと濾過装置により捕集したものを電気を用いて殺菌することで無害化し、安全領域を作ることを目的とした携帯傘
【発明の詳細な説明】
【技術分野】
【０００１】  本発明はエアカーテンにより外部の雨、雪、霧、粉塵、微小物体、有害物質、寒暖の悪影響から安全領域を作り、内部の者を守ることを目的とした携帯傘に関する。
【背景技術】
【０００２】  従来から携帯用加熱、冷却装置は知られており、ショルダーバッグに入れるなどして、暴露環境で部分的に加熱冷却を行うことは知られているが暴露環境であり十分に熱気や冷気を保持することができなかった。また、歩行者搬送装置で固定して上部の降水を吹き飛ばす装置が知られているが携帯して持ち歩くことができず、吹き飛ばすだけで内部の者を覆って守ることはできなかった。また、保温をシートを用いて保持する方法があったが、傘の収納面で問題があり、見た目も悪く実用的ではなかった。また、臭いや煙が外部に洩れない固定式の装置があったが、外部からの影響から内部を守る構造ではなく、内部の者が直接気流に触れる構造であり、携帯することもできなかった。また、気流を外部から流すものもあったが、端部で気流が内部に巻き込むので本発明の用をなすことはできないものがあった。
【特許文献１】  特開２００６−１３６６２８号公報
【特許文献２】  特開２００７−２６１７２３号公報
【特許文献３】  特開２００６−２３９３７０号公報
【特許文献４】  特開２００２−３４５９４４号公報
【特許文献５】  特開平１０−３１４５２９号公報
【発明の開示】
【発明が解決しようとする課題】
【０００３】  本発明は、雨等の天候から守ること、及び、対策が急務だとされている新型ウイルス等の感染症においては応急対処が誰もが普段携帯している物を用いて簡単にできることが求めれている。そこで、熱気や冷気を一定領域に留め、雨を防ぎながら体温の低下を防ぎ、有害物質の悪影響から内部の者を洩れなく、触れることなく守れ、誰でもが通常携帯していられるためには、エアカーテンで全周を覆う傘を用いることで問題が解決できる。
【課題を解決するための手段】
【０００４】  本発明は傘にエアカーテンを用いることで、雨や微小物体、有害物質などから保護される安全領域を作り、触れないようにし、たとえ洩れてきたとしても濾過装置で除去し、冷暖房装置により体調が変調をきたさないように保護し、殺菌装置で有害物が増殖しないように殺菌し、誰でもが普段携帯して簡単に持ち歩くことができ、使用に際してもすぐに使用することができる。
【発明の効果】
【０００５】  本発明は、エアカーテンにより熱気や冷気を一定領域に留めて置くことができ、雨を防ぎながら体温の低下を防ぐことができ、かさばらないと大きな利点がある。また、傘として携帯でき持ち運びが容易であり、エアカーテンは体の全周を覆うことで全方位からの悪影響から保護することができ保持効果も高い。また、周囲を守るのはエアーであり、周囲の状況によりエアーを止めて用いることもできかさばらず持ち運びにも便利である。本特許はエアーで遮ることから、シートなどのように間から有害物が洩れてくることもなく、除去機能により内部の者を守る効果も高い。その除去方法も内部の者が気流の流れに触れる構造でないために安全性が高い。
【発明を実施するための最良の形態】
【０００６】  携帯傘の柄の部分を中空にし、ファンやコンプレッサを設置することで気体を噴出、または、吸収する構造とする。【０００７】  携帯傘の柄のファンやコンプレッサを設置した近くに取り外し自在な濾過装置を設置する。【０００８】  携帯傘の柄のファンやコンプレッサを設置した近くに冷暖房装置を設置することで熱風や冷風を作り出す。【０００９】  携帯傘の柄の濾過装置を設置した近くに殺菌装置を設置することで濾過装置や有害物を殺菌する。【００１０】  携帯傘の柄の端にエアーを噴出したり吸入したりする部分を設けることで、エアカーテンが生成されるようにする。【００１１】  携帯傘の柄の部分にエアー流路がある電源装置を搭載することで、携帯できるようにする。
【図面の簡単な説明】
【００１２】
【図１】  本実施形態に係る傘部がある場合の構成図
【図２】  本実施形態に係る傘部がない場合のエアーカーテンが下部方向の構成図
【図３】  本実施形態に係る傘部がない場合のエアーカーテンが上部方向の構成図
【符号の説明】
【００１３】１    電源装置
２    濾過装置
３    ファンやコンプレッサ
４    殺菌装置
５    冷暖房装置
６    傘の柄
７    エアー噴出部
８    傘部
９    内骨
１０  エアーカーテン
【図１】
2009297496.tif 000003
【図２】
2009297496.tif 000004
【図３】
2009297496.tif 000005
【手続補正書】
【提出日】平成21年5月8日(2009.5.8)
【手続補正１】
【補正対象書類名】明細書
【補正対象項目名】００１２
【補正方法】変更
【補正の内容】
【００１２】
【図１】本実施形態に係る傘部がない場合のエアーカーテンが下部方向の構成図
【図２】本実施形態に係る傘部がない場合のエアーカーテンが上部方向の構成図
【手続補正２】
【補正対象書類名】図面
【補正対象項目名】全図
【補正方法】変更
【補正の内容】
【図１】
2009297496.tif 000006
【図２】
2009297496.tif 000007
(57)【要約】【課題】机等の上で仮眠する時、頬杖をついたり伏せて寝るのは疲れるのでスタンド式の枕を提供する【解決の手段】台座（２）に顔を乗せる枕台（１）、高さ調整ネジ（３）を設けて楽な姿勢で寝れることを特徴とする【選択図】図１
2009297486.tif 000002
【特許請求の範囲】
【請求項１】
台座（２）にＬ型枕（１）を差し込み高さ調整用の固定ネジ（３）を取り付けたスタンド枕
【発明の詳細な説明】
【技術の分野】
【００１】この発明は高さ調整の出来るスタンドにＬ型の枕を取り付けたスタンド枕に関するものである。
【背景技術】
【００２】従来、枕は人が横になって寝る時に使用するもので、たとえばオフィスなどの机の上で昼休みに少し仮眠する場合には形状としてもマナー的にも不向きである。
【発明の開示】
【発明が解決しようとする課題】
【００３】机等の上で仮眠する場合頬杖をついたり伏せて寝るのは肘を痛めたり背中を丸めるので疲れてしまう。本発明は、以上のような欠点をなくすためになされたものである。
【課題を解決するための手段】
【００４】台座（２）に顔を乗せる枕台（１）高さ調整ネジ（３）を設ける。
本発明は、以上の構成よりなるスタンド枕である。
【発明の効果】頬杖をつかず、背中も丸めることながないので非常に楽に仮眠出来る。スタンド式なので置く場所も省スペースで済む。
【発明を実施する為の最良の形態】
【００６】以下、本発明を実施する為の最良の形態について説明する。
顔を乗せる台（高さ調整穴付の金属製の円筒にＬ型の金属板を溶接し枕を取り付けたもの）（１）を高さ調整穴付の金属台座（２）に差し込みツマミ付ネジ（オス）（３）を差し込み反対側よりツマミ付ネジ（メス）で固定する。
本発明は以上のような構造である。
これを使用する時は使用する人の座高に合わせて高さを調整する。
【図面の簡単な説明】
【００７】
【図１】本発明の斜視図である
【図２】本発明の断面図である
【符号の説明】
１  Ｌ型枕
２  台座
３  高さ調整用固定ネジ
【図１】
2009297486.tif 000003
【図２】
2009297486.tif 000004